(57)【特許請求の範囲】
【請求項１】
基座に一つのレバーと二つの齒車片を連動して枢設し、しかも枢設部位に巻動部材を連結し、前記巻動部材は齒車片と連動する関係にあり、バンドの巻き戻し/送り出しを行うことができ、
前記レバーは、二列に並べている側壁を具備し、両側壁間に第１当接片を取り付け、しかも前記基座は二列に並べている別の側壁を具備し、前記別の側壁間に第２当接片を取り付け、
前記第１、第２当接片は前記巻動部材に向けて運動し、齒車片の何れか一つの齒を係止し、係止作用を維持することができる一方、
前記レバーの側壁辺縁には、少なくとも一つの凸輪縁を形成し、この凸輪縁は、レバーと基座と合わせて閉じた状態で第２当接片と齒車片との係止関係を解除することができ、
前記基座の側壁辺縁には、第１当接片が齒車片を連動する活動範囲を制限するための滑動溝と、第１当接片の動きをロックするためのロック溝とをそれぞれ形成し、
前記第１当接片の端部には、一つの導引面を斜めに形成し、この導引面は、レバーと基座と合わせて閉じた状態で齒車片の何れか一つの齒と当接してなることを特徴とする、巻き戻し/送り出しの係止作用を有する荷締機。
【請求項２】
前記基座の外側には、前記巻動部材と連動する巻き戻し機構を取り付けてなることを特徴とする、請求項１に記載の巻き戻し/送り出しの係止作用を有する荷締機。
【請求項３】
前記巻動部材は、バンドの巻き戻し又は送り出しを行える二つの半軸からなることを特徴とする、請求項１または２に記載の巻き戻し/送り出しの係止作用を有する荷締機。
【請求項４】
前記巻動部材は、巻き軸と、前記巻き軸を外套するとともにバンドの巻き戻し又は送り出しを行える巻きロールと、からなることを特徴とする、請求項１または２に記載の巻き戻し/送り出しの係止作用を有する荷締機。
【発明の詳細な説明】
【技術分野】
【０００１】
本発明は巻き戻し/送り出しの荷締機に係り、特にバンドの巻き戻し／送り出しの荷締機に関する。
【背景技術】
【０００２】
特許文献１又は特許文献２に開示されている荷締機は、いずれも半分に分割した二つの巻き軸（以下、半軸をいう。）を介して、基座に一つのレバーと、前記レバーと連動する二つの齒車片とを枢設してなり、これらの巻き軸は、齒車片と連動する関係にあり、且つレバーと基座に一つの当接片を取り付け、当接片の弾性力で齒車片の周縁の何れか一つの齒を係止することにより、二つの巻き軸にハンドを巻き回せる。
【０００３】
図１に示すように、基座１０には、座底部１１を設け、座底部１１の両側に二列の側壁１２、１２を折り曲げて形成し、各側壁１２に一つの長方形孔１３と二つの通孔１４、１４を貫通して設け、しかも枢設端の辺縁近傍に一つの緩み溝１５と、一つのアンロック溝１６と、一つのロック溝とを形成し、緩み溝１５に通孔１４と、ロック溝１７に隣接する長方形孔１３とを遠く離させるようにする。
【０００４】
レバーは基座１０において回動されて展開状態に至ると、レバーの当接片が緩み溝１５内に挿入され、同時に基座１０の当接片が押して開き、齒車片に対する係止作用が喪失することになる。確かに、これにより、迅速にバンドを引っ張ることができるが、安全機構の制御に欠き、使用上の危険性が伴う場合はある。
【０００５】
仮にレバーの当接片をアンロック溝１６と当接するとき、加えて側壁１２の外側に枢設される滑り齒部１８が齒車片の何れか一つの齒を係止し、レバーを繰り返して回動する方式により、一つの齒ずつギヤシフトを行ってバンドをゆっくり送り出しすることができる。アンロック溝１６に滑り齒部１８を差し込むことにより、係止効を得ることができ、バンド送り出しの安全係数を向上させることもできる。しかし、送り出しの速度が相当遅くなるため、故に所要の梱包時間もかなり長くなってしまうという問題があった。
【０００６】
一旦、レバーが基座１０と合わせて閉じたら、レバーの当接片がロック溝１７壁面と当接することができ、連動される基座１０の当接片は齒車片周囲の齒を係止するとともに、バンドの巻き戻し／送り出しを停止することになる。そして、両当接片が合わせて閉じた状態では、齒車片を係止する以外、他の功能を発揮することが一切ないということである。
【先行技術文献】
【特許文献】
【０００７】
【特許文献１】アメリカ合衆国特許第６，７９９，７５０号明細書
【特許文献２】中華人民共和国特許第２２１６７９２．７号明細書
【発明の概要】
【発明が解決しようとする課題】
【０００８】
そこで、本発明の目的は、上記の先行技術の問題点に鑑みてなされるものであって、巻き戻し/送り出しの係止作用を有する荷締機を提供することにある。
【課題を解決するための手段】
【０００９】
上記課題を解決するため、本発明の請求項１は、基座に一つのレバーと二つの齒車片を連動して枢設し、しかも枢設部位に巻動部材を連結し、前記巻動部材は齒車片と連動する関係にあり、バンドの巻き戻し/送り出しを行うことができ、前記レバーは、二列に並べている側壁を具備し、両側壁間に第１当接片を取り付け、しかも前記基座は二列に並べている別の側壁を具備し、前記別の側壁間に第２当接片を取り付け、前記第１、第２当接片は前記巻動部材に向けて運動し、齒車片の何れか一つの齒を係止し、係止作用を維持することができる一方、前記レバーの側壁辺縁には、少なくとも一つの凸輪縁を形成し、この凸輪縁は、レバーと基座と合わせて閉じた状態で第２当接片と齒車片との係止関係を解除することができ、前記基座の側壁辺縁には、第１当接片が齒車片を連動する活動範囲を制限するための滑動溝と、第１当接片の動きをロックするためのロック溝とをそれぞれ形成し、前記第１当接片の端部には、一つの導引面を斜めに形成し、この導引面は、レバーと基座と合わせて閉じた状態で齒車片の何れか一つの齒と当接してなることを特徴とする巻き戻し/送り出しの係止作用を有する荷締機である。
【００１０】
本発明の請求項２は、請求項１において、前記基座の外側には、前記巻動部材と連動する巻き戻し機構を取り付けてなることを特徴とする巻き戻し/送り出しの係止作用を有する荷締機である。
【００１１】
本発明の請求項３は、請求項１または２において、前記巻動部材は、バンドの巻き戻し又は送り出しを行える二つの半軸からなることを特徴とする巻き戻し/送り出しの係止作用を有する荷締機である。
【００１２】
本発明の請求項４は、請求項１または２において、前記巻動部材は、巻き軸と、前記巻き軸を外套するとともにバンドの巻き戻し又は送り出しを行える巻きロールと、からなることを特徴とする巻き戻し/送り出しの係止作用を有する荷締機である。
【発明の効果】
【００１３】
本発明の荷締機は巻き戻し/送り出しの係止作用を有するものであり、レバーの側壁辺縁に（第２）凸輪縁を形成し、且つレバーの当接片を取り付けるとともに、齒車片と接触する端部に導引面を斜めに形成してなる。この簡単な設計により、レバーと基座と合わせて閉じたとき、レバー側壁の第２凸輪縁が基座の当接片を押して開き、同時に基座の側壁辺縁に対応するロック溝中にレバーの当接片を深く進入させることができ、しかも齒車片周囲の何れか一つの齒と導引面を当接させることができる。
【００１４】
また、外力によって、バンドを外側へ引っ張って送り出すとき、齒車片を同期に連動して回転し、導引面が齒車片円周に囲繞される齒に対して作用力を施し、順次レバーの当接片を押して開くとともに連続性の音を発し、この動作は外力が消失するまでに続き、当接片の弾性力作用によって齒車片の齒を係止し、さらにバンドを外側へ引っ張る動作を停止することができる。即ち、随時に引っ張ったり、随時に停止したりするという功能を具備する。
【００１５】
その他、基座の外側に一つの巻き戻し機構を取り付け、この巻き戻し機構はバンドを巻き上げる巻動部材と連動する関係にあり、レバーと基座とを合わせて閉じた状態において、レバーの当接片を動かして齒車片の係止作用を退くことにより、自動的かつ快速にバンドを巻き回すことができる。
【図面の簡単な説明】
【００１６】
【図１】公知の荷締機の基座を示す斜視図である。
【図２】本発明の荷締機の好適な実施例の展開状態を示す斜視図である。
【図３】図２の荷締機の内部構造と係止との関係を示す説明図である。
【図４】図３中の円で囲む部分の構造の一部拡大説明図である。
【図５】本発明の荷締機を閉じた後の側面の説明図であって、且つ点線で係止関係を示す。
【図６】図５中の円で囲む部分の構造の一部拡大説明図である。
【図７】齒車片の齒が導引面と接触して第１当接片を押して開いた作動関係を示す説明図である。
【図８】荷締機を閉じて第１当接片を動かしてバンドを巻き戻している状況を示す説明図である。
【発明を実施するための形態】
【００１７】
以下に図面を参照しながら本発明を実施するための最良の形態について詳細に説明する。
【００１８】
本発明が提供する荷締機２０では、図２と図３に示すように、レバー３０と二つの齒車片５０は、巻き軸２１を介して基座４０に枢設されている。
【００１９】
巻き軸２１は、バンド２２係止部の心軸に穿入され、バンド２２係止部以外のハンド２２巻き部は巻きロール２３に巻き上げられている。巻きロール２３は、断面がC字型を呈し、両端が齒車片５０の中間部にそれぞれ取り付け結合されており、巻きロール２３と齒車片５０は巻き軸２１を軸心として互いに連結されており、回動することができる。
【００２０】
レバー３０には、レバー底部３１においてリング片３４が折り曲げて形成されており、両側において側壁３２がそれぞれ折り曲げて形成されており、両側壁３２に巻き軸２１の辺縁を囲繞して第１凸輪縁３５と第２凸輪縁３６がそれぞれ形成されており、且つ対応する位置に長方形孔３３がそれぞれ貫通して形成されており、それぞれの長方形孔３３内に第１当接片６０の側翼が置入されている。前記第１当接片６０には、一つの尾部６１が延伸されており、両側に二つの力受け部６３がそれぞれ折り曲げて形成されており、しかも齒車片５０と接触する端部に導引面６４が斜めに形成されている。尾部６１はリング片３４へ進入することができ、その外部に一つの圧縮ばね６２が套設されており、圧縮ばね６２は両端が第１当接片６０とリング片３４とそれぞれ接触し、これにより、第１当接片６０を巻き軸２１に向けて移動するのに必要な弾性力を維持する。
【００２１】
前記基座４０の座底部４１には、リング片４３が折り曲げて形成されており、両側において側壁４２がそれぞれ折り曲げて形成されており、両側壁４２に巻き軸２１の辺縁を囲繞して滑動溝４４とロック溝４５が形成されており、且つ対応する位置に長方形孔４６が貫通して形成されており、それぞれの長方形孔４６内に第２当接片７０の側翼が置入されている。前記第２当接片７０には、リング片４３内に進入される尾部７１が延伸されており、尾部７１に別の圧縮ばね６２が外套されており、この圧縮ばね６２は両端が第２当接片７０とリング片４３とそれぞれ接触し、これにより、第２当接片７０を巻き軸２１に向けて移動するのに必要な弾性力を維持する。
【００２２】
そのほか、基座４０の側壁４２外面には、一つの巻き戻し機構８０が取り付けられており、前記巻き戻し機構８０は巻きロール２３と連動する関係にあり、これにより、ハンド２２を巻きつけるのに用いられる。
【００２３】
基座４０に対して展開するようにレバー３０を動かし、このレバー３０の操作は、第１当接片６０が滑動溝４４の直立壁面と接触するまでに続き、両者の展開の幅は最大となり、しかもレバー３０の第１凸輪縁３５も第２当接片７０を押して開くようになる。この際に、第１当接片６０の端部最上面が齒５１と接触するため、齒車片５０を帯動して同一の方向に多数個の齒を回転することにより、巻きロール２３の外周にバンド２２を巻き回せることができる。レバー３０２を動かす作用力が消失すると、両当接片６０、７０は齒車片５０に対して係止作用を維持するようになるので、齒車片５０は自由に回動するという問題を心配する必要はない。当然、ハンド２２の送り出し又は巻き戻しも一切発生せず、使用の安全性を確保することができる。
【００２４】
図５乃至図７は、レバー３０と基座４０をあわせて閉じたときの状況を示すものである。第２当接片７０が第２凸輪縁３６と接触して退き開いたのを除き、第１当接片６０の端部がロック溝４５内へ深く進入し、同時に齒車片５０のいずれか一つの齒５１の円弧辺と当接し、齒車片５０が任意の角度で回動するのを制止する。
【００２５】
バンド２２が外力を受けて外側へ引っ張られると、齒車片５０を同期に連動して回転し、しかも齒車片５０の齒５１が第１当接片６０の導引面６４と相次いでぶつかって、連続性の音を発して周囲の人々に荷締機２０を使用しているのを通知するようになる。同時に導引面６４の傾斜度に沿って第１当接片６０を押して開き、この動作又は操作は外力が消失するまでに続く。第１当接片６０は弾性力作用により齒車片５０の齒５１を係止し、さらにバンドが外側へ引っ張られる動作を停止し、随時に引っ張るか、又は随時に停止する功能を具備する。
【００２６】
図８に示すように、レバー３０と基座４０を合わせて閉じたときは、力受け部６３を動かして第１当接片６０を外へ退くことにより、齒車片５０を係止する作用を解除するとともに、巻きロール２３にバンドを自動的かつ迅速に巻き戻させることができる。
【００２７】
上記の実施例は、本発明技術内容の説明に用いたのみで、本発明を限定するものではない。本発明の精神に基づく等価応用或いはいは部品（構造）の転換、置換、数量の増減はすべて、本発明の保護範囲に含むものとする。
【符号の説明】
【００２８】
＜先行技術＞
１０    基座
１１    座底部
１２    側壁
１３    長方形孔
１４    通孔
１５    緩み溝
１６    アンロック溝
１７    ロック溝
１８    滑り齒部
＜本発明＞
２０    荷締機    
２１    巻き軸
２２    バンド
２３    巻きロール
３０    レバー
３１    レバー底部
３２    側壁
３３    長方形孔
３４    リング片
３５    第１凸輪縁
３６    第２凸輪縁
４０    基座
４１    座底部
４２    側壁
４３    リング片
４４    滑動溝
４５    ロック溝
４６    長方形孔
５０    齒車片
５１    齒
５２    円弧辺
６０    第１当接片
６１    尾部
６２    圧縮ばね
６３    力受け部
６４    導引面
７０    第２当接片
７１    尾部
８０    巻き戻し機構
【図１】
0005470641.tif 000002
【図２】
0005470641.tif 000003
【図３】
0005470641.tif 000004
【図４】
0005470641.tif 000005
【図５】
0005470641.tif 000006
【図６】
0005470641.tif 000007
【図７】
0005470641.tif 000008
【図８】
0005470641.tif 000009